【手続補正書】
【提出日】平成13年5月7日(2001.5.7)
【手続補正１】
【補正対象書類名】明細書
【補正対象項目名】特許請求の範囲
【補正方法】変更
【補正の内容】
【特許請求の範囲】
【請求項１】
ボイスコイル、線形スライド、ならびに、該ボイスコイルおよび該線形スライドを接続しポリマーアレイを取り付けるための面をもつブラケットをもつ解読用載物台を含む走査用装置。
【請求項２】
さらに、表面をもつ解読台を含み、線形スライドのガイド部位が、該解読台の該表面に取り付けられている、請求項１記載の装置。
【請求項３】
ポリマーアレイがブラケットの表面に取り付けられていて、該ポリマーアレイがパッケージ型ポリマーアレイとなっている、請求項２記載の装置。
【請求項４】
ブラケットが、該ブラケットの別の面で線形スライドの可動部分と接続されている、請求項１記載の装置。
【請求項５】
さらに、解読用載物台がブラケット上に目盛をもつ、請求項４記載の装置。
【請求項６】
さらに、解読用載物台が、ポリマーアレイではなく、リフレクターと対物レンズをブラケットの表面上にもっている、請求項４記載の装置。
【請求項７】
リフレクターが、ミラーと回転プリズムとからなる群より選択される、請求項６記載の装置。
【請求項８】
さらに、対物レンズをもつ共焦点顕微鏡画像検出装置を含み、３．５ ｍｍ以下のピクセルサイズを用いた正確で確実な画像認識法を提供する、請求項５記載の装置。
【請求項９】
対物レンズが、顕微鏡の対物レンズ、二重レンズ付き非球面レンズ、二重レンズなし非球面レンズ、および屈折／回折性ハイブリッドレンズからなる群より選択される、請求項８記載の装置。
【請求項１０】
対物レンズが、顕微鏡の対物レンズ、二重レンズ付き非球面レンズ、二重レンズなし非球面レンズ、および屈折／回折性ハイブリッドレンズからなる群より選択される、請求項７記載の装置。
【請求項１１】
さらに、解読用載物台の動きを調節するための制御装置を含む、請求項５記載の装置。
【請求項１２】
制御装置が、ボイスコイルに接続している増幅装置を含む、請求項１１記載の装置。
【請求項１３】
制御装置が、動作制御装置および走査制御用コンピュータを含む、請求項１２記載の装置。
【請求項１４】
制御装置が、解読用載物台の位置を検出するための読み取り用ヘッドを含む、請求項１３記載の装置。
【請求項１５】
制御装置が、読み取り用ヘッド、ボイスコイル、および動作制御装置に接続した相互接続モジュールを含む、請求項１４記載の装置。
【請求項１６】
ポリマーアレイを取り付けるための面が平面であり、それも平面であるもう一つの面に垂直になっている、請求項５記載の装置。
【請求項１７】
ポリマーアレイを取り付けるための面が平面であり、それも平面であるもう一つの面に平行になっている、請求項６記載の装置。
【請求項１８】
１ ｃｍ×１ ｃｍ以上のポリマーアレイ画像サイズを走査する、請求項９記載の装置。
【請求項１９】
線形解読を行うための装置、および該線形解読用装置にボイスコイルを接続するための装置を含む解読用載物台において、該ボイスコイルを該線形解読用装置に接続するための装置が、ポリマーアレイを確実に取り付けるための面を含む走査用装置。
【請求項２０】
線形解読用装置が、単軸解読を提供する交差ころ軸受型線形スライドであり、ボイスコイルを線形スライドに接続するための装置が、軽量な剛体材料からできたブラケットである、請求項１９記載の装置。
【請求項２１】
永久磁石部位およびコイル巻き線部位をもつ線形アクチュエータ、線形スライド、ならびに、該線形アクチュエータと該線形スライドを接続しポリマーアレイを取り付けるための面をもつブラケットを含むポリマーアレイ走査用装置。
【請求項２２】
線形アクチュエータがボイスコイルである、請求項２１記載の装置。
【請求項２３】
ボイスコイルが、スライド型ボイスコイルおよびプランジャー型ボイスコイルからなる群より選択される、請求項２２記載の装置。
【請求項２４】
スライド型ボイスコイルがＢＥＩキムコ（Ｋｉｍｃｏ）ＬＡ１４−２４−０００ボイスコイルであり、プランジャー型ボイスコイルがＢＥＩキムコＬＡ３４−３７−０００Ａである、請求項２３記載の装置。
【請求項２５】
さらに、ブラケットの第二の面に取り付けられ、基質の表面を横切る高速軸方向にレーザー光線を走査させるための走査用ヘッドをポリマーアレイの代わりにもつ、請求項２３記載の装置。
【請求項２６】
走査用ヘッドがリフレクターと対物レンズとをもつ、請求項２５記載の装置。
【請求項２７】
リフレクターが、ミラーおよび回転プリズムからなる群より選択される、請求項２６記載の装置。
【請求項２８】
ボイスコイル、線形スライド、ならびに該ボイスコイルおよび該線形スライドを接続するブラケットで、ポリマーアレイをその上に取り付けるためのブラケットを含む解読用載物台を提供する工程；および、
ボイスコイルを用いて走査加速度および走査線速度を上昇させる工程を含む走査法。
【請求項２９】
さらに、ポリマーアレイに高度の走査加速運動をもたらす工程を含む、請求項２８記載の方法。
【請求項３０】
さらに、ポリマーアレイではなく、ブラケットに取り付けられた走査用ヘッドに高度の走査加速運動をもたらす工程を含む、請求項２９記載の方法。
【請求項３１】
走査用ヘッドが、顕微鏡の対物レンズ、二重レンズ付き非球面レンズ、二重レンズなし非球面レンズ、および屈折／回折性ハイブリッドレンズからなる群より選択されたリフレクターおよびレンズをもつ、請求項３０記載の方法。
【請求項３２】
光源；
該光源からの光を基質の方向に向かわせ、該基質からの反射光を該基質からの発光より分離するための光学トレイン（ｏｐｔｉｃａｌ ｔｒａｉｎ）；
該光源から生じる該基質への光の焦点を合わせるための集束装置；
該基質からの発光を検出するための検出装置；
該基質を低速軸方向および焦点軸方向に解読して行くための解読台；および、
２つ以上の取り付け面をもつブラケットをもち、高速軸方向に走査線を走査するためにかかる時間を減少させて既定のアレイサイズを走査する時間数を減少させるために、ステッピングモーターの加速度よりも大きな加速度をもつ線形アクチュエーターを用いて高速軸方向に走査するための解読用載物台；を含む共焦点顕微鏡画像検出装置。
【請求項３３】
解読用載物台が解読台の表面に取り付けられている、請求項２９記載の装置。
【請求項３４】
線形アクチュエーターがボイスコイルであり、ポリマーアレイが一つ以上の取り付け面に固定されている、請求項３０記載の装置。
【請求項３５】
線形解読用載物台、および該線形解読用載物台を２ ｍｍ以上の距離を１秒あたり１０本以上の走査線が動く速度で動作させるための装置を含み、３．５ミクロン以下のピクセルサイズで走査を行なう走査用装置。
【請求項３６】
速度が１秒あたり２０本以上の走査線が動く速度である、請求項３５記載の走査用装置。
【請求項３７】
速度が１秒あたり３０本以上の走査線が動く速度である、請求項３５記載の走査用装置。
【請求項３８】
ピクセルサイズが２ミクロン以下である、請求項３７記載の走査用装置。
【請求項３９】
ピクセルサイズが１．５ミクロン以下である、請求項３７記載の走査用装置。
【請求項４０】
距離が５ ｍｍ以上である、請求項３５、３６、３７または３８記載の走査用装置。
【請求項４１】
距離が１４ ｍｍ以上である、請求項３５、３６、３７または３８記載の走査用装置。
【請求項４２】
装置が、ボイスコイルによって操作される解読用載物台である、請求項３５記載の走査用装置。
【手続補正２】
【補正対象書類名】図面
【補正対象項目名】図１
【補正方法】追加
【補正の内容】
【図１】
2004507710.tif 000001